(57)【要約】【課題】  作業スペースを机上に容易に確保できるとともに、裁縫箱から裁縫道具を容易に取り出せる裁縫箱を提供する。【解決手段】  裁縫箱であって、箱本体１と、箱本体１と一体に形成された箱本体１を開閉する蓋２と、箱本体１と蓋２との間に位置し、箱本体１および蓋２と一体に形成された、折れ曲がり部６を具備する中面５と、蓋２の両側辺と中面５の両側辺とを繋ぐ金具７と、を備え、蓋２を開いた場合に中面５が金具７によって蓋２の方向に引き上げられて折れ曲がり部６から折り曲げられ、かつ、蓋２が金具７によって中面５の方向に引っ張られて支持される。【選択図】          図４
0003102750.tif 000002
【実用新案登録請求の範囲】
【請求項１】
箱本体と、
前記箱本体と一体に形成された前記箱本体を開閉する蓋と、
前記箱本体と前記蓋との間に位置し、前記箱本体および前記蓋と一体に形成された、折れ曲がり部を具備する中面と、
前記蓋の両側辺と前記中面の両側辺とを繋ぐ繋具と、
を備え、
前記蓋を開いた場合に、前記中面が前記繋具によって前記蓋の方向に引き上げられて前記折れ曲がり部から折り曲げられ、かつ、前記蓋が前記繋具によって前記中面の方向に引っ張られて支持される、
ことを特徴とする裁縫箱。 
【請求項２】
請求項１に記載の裁縫箱において、さらに、前記中面は、裁縫道具を収納する収納ポケットを具備することを特徴とする裁縫箱。
【請求項３】
請求項１に記載の裁縫箱において、さらに、前記蓋は、裁縫道具を収納する収納ポケットを具備することを特徴とする裁縫箱。
【請求項４】
請求項１に記載の裁縫箱において、さらに、
前記箱本体は仕切壁を具備し、
前記折れ曲がり部から折り曲げられた中面と前記仕切壁とを留め具によって留めることができる、
ことを特徴とする裁縫箱。
【請求項５】
前記留め具は、マジックテープ（登録商標）であることを特徴とする請求項４に記載の裁縫箱。
【請求項６】
請求項１に記載の裁縫箱において、さらに、前記外蓋は、裁縫道具を差し込み保持する差込保持部を具備することを特徴とする裁縫箱。
【考案の詳細な説明】
【技術分野】
【０００１】
本考案は、裁縫箱に関し、特に、小学生や中学生向けの裁縫箱に関する。
【背景技術】
【０００２】
小学校や中学校においては家庭科の時間に裁縫道具を用いて裁縫の学習をすることがあるが、複数の裁縫道具を机上に広げてしまうと作業スペースが確保できない。
そこで、従来、開いた蓋を折り曲げて固定できる裁縫箱が提案された（実用新案登録第３０９５４６９号）。
【考案の開示】
【考案が解決しようとする課題】
【０００３】
しかしながら、この従来の裁縫箱では、蓋を手動で折り曲げて固定しなければ、作業スペースを机上に確保できない。また、この従来の裁縫箱から裁縫道具を取り出すためには、この裁縫道具を押さえている押さえ面を手動で開かなければならない。このように、この従来の裁縫箱には、作業スペースを机上に確保するために面倒な作業を行わなければならないという問題、および裁縫箱から裁縫道具を容易に取り出せないという問題があった。
【０００４】
そこで、かかる事情に鑑み、本考案は、作業スペースを机上に容易に確保できるとともに、裁縫箱から裁縫道具を容易に取り出せる裁縫箱を提供することを目的とする。
【課題を解決するための手段】
【０００５】
本考案によれば、上記課題は、次の手段によって、解決される。
【０００６】
第１の考案は、箱本体と、前記箱本体と一体に形成された前記箱本体を開閉する蓋と、前記箱本体と前記蓋との間に位置し、前記箱本体および前記蓋と一体に形成された、折れ曲がり部を具備する中面と、前記蓋の両側辺と前記中面の両側辺とを繋ぐ繋具と、を備え、前記蓋を開いた場合に、前記中面が前記繋具によって前記蓋の方向に引き上げられて前記折れ曲がり部から折り曲げられ、かつ、前記蓋が前記繋具によって前記中面の方向に引っ張られて支持される、ことを特徴とする裁縫箱である。 
【０００７】
第２の考案は、第１の考案に係る裁縫箱において、さらに、前記中面は、裁縫道具を収納する収納ポケットを具備することを特徴とする裁縫箱である。
【０００８】
第３の考案は、第１の考案に係る裁縫箱において、さらに、前記蓋は、裁縫道具を収納する収納ポケットを具備することを特徴とする裁縫箱である。
【０００９】
第４の考案は、第１の考案に係る裁縫箱において、さらに、前記箱本体は仕切壁を具備し、前記折れ曲がり部から折り曲げられた中面と前記仕切壁とを留め具によって留めることができる、ことを特徴とする裁縫箱である。
【００１０】
第５の考案は、前記留め具は、マジックテープ（登録商標）であることを特徴とする第４の考案に係る裁縫箱である。
【００１１】
第６の考案は、第１の考案に係る裁縫箱において、さらに、前記外蓋は、裁縫道具を差し込み保持する差込保持部を具備することを特徴とする裁縫箱である。
【考案の効果】
【００１２】
本考案によれば、蓋を開くと、裁縫箱がＬ字状になるように蓋が繋具によって支持されるため、作業スペースを机上に容易に確保できる。また、本考案によれば、蓋を開くと中面が繋具によって蓋の方向に引き上げられ、折り曲げられ、支持されるため、裁縫箱から裁縫道具を容易に取り出すことができる。
【考案を実施するための最良の形態】
【００１３】
以下に、添付した図面を参照しつつ、本考案を実施するための最良の形態を詳細に説明する。
【００１４】
図１は、本考案の実施の形態に係る裁縫箱の蓋を閉めた状態を示す図である。図１に示すように、本考案の実施の形態においては、箱本体１と一体に形成された蓋２がファスナー３によって開閉される。箱本体１には把手４が取り付けられているため、本考案に実施の形態に係る裁縫箱は、容易に持ち運ぶことができる。
【００１５】
図２〜図４は、本考案の実施の形態に係る裁縫箱の蓋を開く様子を示す図である。蓋は、図２、図３、図４の順番で開かれていく。
【００１６】
図２に示すように、本考案の実施の形態に係る裁縫箱は、箱本体１および蓋２と一体に形成された中面５を備えており、この中面５は、折れ曲がり部６から折り曲げられる構造になっている。また、この中面５の両側面と蓋２の両側面とは、金具７で繋がれている。
【００１７】
図３に示すように、蓋２がある程度以上開かれると、中面５が金具７によって蓋２の方向に引き上げられ、折れ曲がり部６から折り曲げられる。
【００１８】
図４に示すように、蓋２が一定程度以上開かれると、折れ曲がり部６から折り曲げられた中面５が、仕切壁８によって支持される。中面５には、収納ポケット９が設けられており、この収納ポケット９にタチバサミなどの裁縫道具を収納することができるので、裁縫道具を立体的に収納することが可能である。したがって、本実施の形態によれば、裁縫道具を裁縫箱から容易に取り出すことができる。
【００１９】
また、蓋２の両側面と中面５の両側面とは金具７で繋がれているので、蓋２は、一定程度以上開かれると、仕切壁８によって支持された中面５によって、裁縫箱がＬ字状になるように、支持される。したがって、本考案の実施の形態に係る裁縫箱によれば、蓋を手動で折り曲げるという面倒な作業が必要であった従来の裁縫箱と比較して、机上に容易に作業スペースを確保することができる。
【００２０】
また、図４に示すように、蓋２の内面に、収納ポケット１０や、糸切りばさみやチャコ鉛筆などの裁縫道具を差し込み保持する差込保持部１１などを設ければ、より立体的に裁縫道具を収納できるため、机上により多くの作業スペースを確保できる。
【００２１】
なお、中面５が仕切壁８に支持されている状態で、中面５と仕切壁８とをマジックテープ（登録商標）やホックなどの留め具で留めれば、中面５の仕切壁８による支持をより安定的にすることができる。
【００２２】
また、本考案の実施の形態においては、蓋２の両側辺と中面５の両側辺とを金具７で繋いだが、本考案は、蓋２の両側辺と中面５の両側辺とを繋ぐ繋具を金具に限定するものではない。したがって、蓋２の両側辺と中面５の両側辺とを繋ぐ繋具には、金具のみならず、紐などの、蓋２の両側辺と中面５の両側辺とを繋ぐことができるすべての手段を用いることができる。
【００２３】
また、蓋２と中面５との繋がりは、金具７を開放するなどの方法によって解くことができる。この場合、蓋２は、完全に開き、中面５も蓋２側に完全に開くので、箱本体１の小物入れの部分を全面的に使用することができる。
【図面の簡単な説明】
【００２４】
【図１】本考案の実施の形態に係る裁縫箱の蓋を閉めた状態を示す図である。
【図２】本考案の実施の形態に係る裁縫箱の蓋を開く様子（その１）を示す図である。
【図３】本考案の実施の形態に係る裁縫箱の蓋を開く様子（その２）を示す図である。
【図４】本考案の実施の形態に係る裁縫箱の蓋を開く様子（その３）を示す図である。
【符号の説明】
【００２５】
１    箱本体
２    蓋
３    ファスナー
４    把手
５    中面
６    折れ曲がり部
７    金具
８    仕切壁
９    収納ポケット
１０    収納ポケット
１１    差込保持部
【図１】
0003102750.tif 000003
【図２】
0003102750.tif 000004
【図３】
0003102750.tif 000005
【図４】
0003102750.tif 000006
【手続補正書】
【提出日】平成16年2月25日(2004.2.25)
【手続補正１】
【補正対象書類名】実用新案登録請求の範囲
【補正対象項目名】請求項５
【補正方法】変更
【補正の内容】
【請求項５】
前記留め具は、面ファスナーであることを特徴とする請求項４に記載の裁縫箱。
【手続補正２】
【補正対象書類名】明細書
【補正対象項目名】００１０
【補正方法】変更
【補正の内容】
【００１０】
第５の考案は、前記留め具は、面ファスナーであることを特徴とする第４の考案に係る裁縫箱である。
【手続補正３】
【補正対象書類名】明細書
【補正対象項目名】００２１
【補正方法】変更
【補正の内容】
【００２１】
なお、中面５が仕切壁８に支持されている状態で、中面５と仕切壁８とを面ファスナーやホックなどの留め具で留めれば、中面５の仕切壁８による支持をより安定的にすることができる。